(57)【要約】【課題】ＡＬＣ壁に配管を挿通する際の施工性を向上させる配管固定装置を提供することを目的とする。【解決手段】ＡＬＣ壁Ｗに四角孔Ｈを設け、複数の貫通孔２０ａを備えた壁孔閉塞体２０を、四角孔Ｈに装着する。  そして、四角孔Ｈおよび壁孔閉塞体２０の表面から、複数のバーリング孔１１ａを備えた金属プレート部１０を覆うように設置する。  その後、貫通孔２０ａおよびバーリング孔１１ａに、配管Ｐを挿通する。  これにより、従来のようにＡＬＣ壁に設けた貫通孔に壁補充材を充填して、配管間の隙間を埋める必要が無く、施工性を向上させることができる。【選択図】    図１
2005147373.tif 000002
【特許請求の範囲】
【請求項１】
温水機器の複数の配管を、ＡＬＣ壁に開口した四角孔に貫通させて固定する装置において、
上記四角孔を上記ＡＬＣ壁の表面から覆い、上記複数の配管をそれぞれ挿通するためのバーリング孔を外向きに形成した金属プレートと、
上記四角孔内に装着され、上記各バーリング孔と同一軸上に上記各配管が挿通可能な貫通孔を形成した壁孔閉塞体と
を備えたことを特徴とする配管固定装置。
【請求項２】
上記壁孔閉塞体として、ロックウールを用いたことを特徴とする請求項１記載の配管固定装置。
【請求項３】
上記金属プレートの裏側面には、上記ＡＬＣ壁の四角開口の下端部に引掛けて、金属プレートを支える引掛片を備えたことを特徴とする請求項１または請求項２記載の配管固定装置。
【発明の詳細な説明】
【技術分野】
【０００１】
本発明は、ＡＬＣ壁に設置する温水機器の配管固定装置に関する。
【背景技術】
【０００２】
従来から、外壁面に給湯器等の温水機器を設置する場合には、部屋の内外にわたる配管が必要である。
この配管は、マンション等の集合住宅においては、壁に孔をあけて通すことになる。
【０００３】
通常のコンクリートにおいては、この場合、配管の本数分だけ壁に孔を形成する。
一方、硬度の低いＡＬＣ（ａｕｔｏｃｌａｖｅｄ  ｌｉｇｈｔ−ｗｅｉｇｈｔ  ｃｏｎｃｒｅｔｅの略  気泡性コンクリート建材の一つ）壁等においては、複数の貫通孔を設けると、貫通孔を設けない部分が崩れてしまうために、一つの大きな孔を形成して、複数の配管を挿通した後、その孔の中に壁補充材を充填して、配管間の隙間を埋めるようにしていた。
【特許文献１】特開２００１−２４８１９２号公報
【発明の開示】
【発明が解決しようとする課題】
【０００４】
しかしながら、このような壁補充材の充填作業は、面倒であり、時間のかかるものであった。
しかも最近では、給湯器の多機能化に伴い、配管の本数も増加の傾向にある。
例えば、温水暖房機能を備えたものでは、給水用配管、給湯用配管、ガス用配管、風呂追焚用配管のほかに、各部屋ごとの暖房配管を配さなければならない。
そのため、配管を壁に通して充填材を充填する作業は、いっそう煩雑なものとなっていた。
【０００５】
本発明は、上記課題を解決するためになされたものであり、ＡＬＣ壁に配管を挿通する際の施工性を向上させるための配管固定装置を提供することを目的とする。
【課題を解決するための手段】
【０００６】
上記課題を解決する本発明の請求項１記載の配管固定装置は、温水機器の複数の配管を、ＡＬＣ壁に開口した四角孔に貫通させて固定する装置において、
上記四角孔を上記ＡＬＣ壁の表面から覆い、上記複数の配管をそれぞれ挿通するためのバーリング孔を外向きに形成した金属プレートと、
上記四角孔内に装着され、上記各バーリング孔と同一軸上に上記各配管が挿通可能な貫通孔を形成した壁孔閉塞体と
を備えたことを要旨とする。
【０００７】
また、上記課題を解決する本発明の請求項２記載の配管固定装置は、請求項１記載の配管固定装置において、上記壁孔閉塞体として、ロックウールを用いたことを要旨とする。
【０００８】
また、上記課題を解決する本発明の請求項３記載の配管固定装置は、請求項１または請求項２記載の配管固定装置において、上記金属プレートの裏側面には、上記ＡＬＣ壁の四角開口の下端部に引掛けて、金属プレートを支える引掛片を備えたことを要旨とする。
【発明の効果】
【０００９】
上記構成を有する本発明の請求項１記載の配管固定装置は、壁孔閉塞体が、温水機器の複数の配管をそれぞれ挿通するための貫通孔を備えて、ＡＬＣ壁に開口した四角孔内に装着されるとともに、金属プレートが、温水機器の複数の配管をそれぞれ挿通するためのバーリング孔を外向きに備えて、ＡＬＣ壁に開口した四角孔をＡＬＣ壁の表面から覆う。 
従って、ＡＬＣ壁に設けた大きな貫通孔に複数の配管を配する従来の方法のように、大きな貫通孔に壁補充材を充填する手間を省くことができ、施工性を向上させることができる。
また、あらかじめ壁孔閉塞体および金属プレートに貫通孔を設けることで、配管の位置関係をあらかじめ決めることができ、容易に配管を整然と設置することができる。
また、四角孔表面に金属プレートが設けられるため、配管挿通部における壁の美観は損なわれない。さらに、金属プレートにはバーリング孔が形成されるために、配管を傷つけることがない。また、バーリング孔を外向きに形成するために、外部の雨水がバーリング孔を伝わって内部に侵入することを抑制することができる。
【００１０】
また、上記構成を有する本発明の請求項２記載の配管固定装置は、壁孔閉塞体をロックウールにより形成するために、壁孔閉塞体は断熱性、吸音性を有する。
そのため、壁孔閉塞体を通じて、居室内温度が外気温度の影響を受けたり、建物外の騒音が居室内に伝播したりすることを抑制できる。
【００１１】
また、上記構成を有する本発明の請求項３記載の配管固定装置は、金属プレートの裏側面に設けられた引掛片が、ＡＬＣ壁の四角孔の下端部に引掛けられて、金属プレートを支える。
これにより、金属プレートの位置決めを容易に行うことができて、いっそう施工性を向上させることができる。
【発明を実施するための最良の形態】
【００１２】
以上説明した本発明の構成、作用を一層明らかにするために、以下、本発明の配管固定装置における好適な実施例について説明する。
【実施例１】
【００１３】
本発明の実施例の配管固定装置を図１、図６を用いて説明する。
この配管固定装置１は、ＡＬＣ壁Ｗの外壁面に設置した温水機器ＢＨの配管ＰをＡＬＣ壁Ｗに挿通する際に使用するもので、ＡＬＣ壁Ｗに形成された四角孔Ｈに装着される壁孔閉塞体２０と、ＡＬＣ壁Ｗの表面から四角孔Ｈを覆う金属プレート部１０とから構成される。
【００１４】
壁孔閉塞体２０は、ロックウールにより形成され、幅２８０ｍｍ、高さ１５０ｍｍの直方体形状であり、直径４０〜４５ｍｍ程度の貫通孔２０ａを上下に４箇所ずつ備える。また、厚みは、ＡＬＣ壁Ｗの厚みに対応するように形成される。
【００１５】
金属プレート部１０は、図２に示すように、プレート本体１１と引掛片１２とからなる。
プレート本体１１は、ステンレス板により形成されて、壁孔閉塞体２０の貫通孔２０ａと対応するように、直径４０〜４５ｍｍ程度の外向きのバーリング孔１１ａを、上下に４箇所ずつ備える。また、外周の４辺に、内側に折曲した絞り部１１ｂが形成され、上下左右の４箇所には、図１に示すように貫通孔１１ｃが形成される。
引掛片１２は、細長い金属板を断面Ｌ字状に曲折したもので、プレート本体固定部１２ａとＡＬＣ壁固定部１２ｂとからなる。
プレート本体固定部１２ａは、バーリング孔１１ａの下部において、プレート本体１１の裏面に、プレート本体１１と水平方向に溶着される。
ＡＬＣ壁固定部１２ｂは、ＡＬＣ壁Ｗ四角孔Ｈの下端に載置して、金属プレート１０の設置位置を固定する。
【００１６】
次に、この配管固定装置１のＡＬＣ壁Ｗへの装着方法について、図１、図３を用いて説明する。
まず、ＡＬＣ壁Ｗに、幅２８０ｍｍ、高さ１５０ｍｍ程度の四角孔Ｈを設ける。
そして、壁孔閉塞体２０を四角孔Ｈに装着する。
【００１７】
つぎに、金属プレート部１０のプレート本体１１の裏面外周に、コーキング材Ｃを塗布する。
そして、引掛片１２のＡＬＣ壁固定部１２ｂを壁孔閉塞体２０と四角孔Ｈの下端との間に挿入する。このように、ＡＬＣ壁固定部１２ｂを四角孔Ｈの下端に載せることにより、金属プレート１０の設置位置が固定される。
その状態で、ネジＳを貫通孔１１ｃに挿通して、ＡＬＣ壁Ｗにネジ止めすることで、金属プレート１０をＡＬＣ壁Ｗに固定する。
【００１８】
このようにして、図４に示すように、ＡＬＣ壁Ｗの四角孔Ｈおよび壁孔閉塞体２０は、金属プレート部１０により覆われる。
なお、上述したように、金属プレート部１０は、わざわざ位置合わせを行わなくても、引掛片１２をＡＬＣ壁Ｗ四角孔Ｈの下端部に載置することにより、図３に示すように、壁孔閉塞体２０の貫通孔２０ａとプレート本体１１のバーリング孔１１ａとが同軸上になるように位置決めされる。
【００１９】
そして、図５に示すように、壁孔閉塞体２０の貫通孔２０ａおよびプレート本体１１のバーリング孔１１ａに、配管Ｐを挿通して、配管Ｐとバーリング孔１１ａとの間の隙間にコーキング材Ｃを充填する。
【００２０】
このような構成により、従来のようにＡＬＣ壁Ｗに設けた大きな貫通孔に壁補充材を充填して、配管間の隙間を埋める必要が無く、施工性を向上させることができる。
また、あらかじめ壁孔閉塞体２０や金属プレート部１０に配管挿通用の貫通孔を設けることで、配管Ｐの位置関係をあらかじめ決めることができ、容易に配管Ｐを整然と設置することができる。
【００２１】
また、ＡＬＣ壁Ｗの四角孔Ｈ周縁および壁孔閉塞体２０の表面には、金属プレートが設けられるため、ＡＬＣ壁Ｗの美観は損なわれない。さらに、金属プレート部１０には外向きのバーリング孔１１ａが形成されるために、配管を傷つけることがなく、外部の雨水が金属プレート１０内に侵入することを抑制することができる。
【００２２】
さらに、金属プレート部１０の裏側面に設けられた引掛片１２が、ＡＬＣ壁Ｗの四角孔Ｈの下端部に引掛けられて、金属プレート部１０を支えるために、金属プレート部１０の位置決めを容易に行うことができて、いっそう施工性を向上させることができる。
【００２３】
また、壁孔閉塞体２０として断熱性、吸音性を有するロックウールを用いたために、壁孔閉塞体２０を通して、居室内温度が建物外温度の影響を受けたり、建物外の騒音が居室内に伝播したりすることを抑制できる。
【００２４】
以上、本発明の実施例について説明したが、本発明はこうした実施形態に何ら限定されるものではなく、本発明の要旨を逸脱しない範囲において種々なる形態で実施しうることはもちろんである。
たとえば、金属プレートはＳＵＳ材に限定しないし、金属プレートや壁孔閉塞体の大きさも、実施例に限定されない。
さらに、引掛片はＡＬＣ壁四角孔の下端部を、少なくとも一箇所において支えればよく、実施例に限定しない。たとえば、引掛片をプレート本体裏面に４箇所設け、ＡＬＣ壁四角孔の４辺の内周壁とそれぞれ当接させて金属プレートを支えるような構成としてもよい。
【産業上の利用可能性】
【００２５】
本発明は、種々の壁面に設置する機器の配管固定装置として適用することができる。
【図面の簡単な説明】
【００２６】
【図１】本発明実施例の配管固定装置を示す説明図である。
【図２】本発明実施例の金属プレートを示す説明図である。
【図３】本発明実施例の配管固定装置を示す説明図である。
【図４】本発明実施例の配管固定装置を示す説明図である。
【図５】本発明実施例の配管固定装置を示す説明図である。
【図６】本発明実施例の配管固定装置を示す説明図である。
【符号の説明】
【００２７】
１  配管固定装置
Ｈ  四角孔
Ｗ  ＡＬＣ壁
１０  金属プレート
１１  プレート本体
１２  引掛片
２０  壁孔閉塞体
１１ａ  バーリング孔
１１ｂ  絞り部
１２ａ  プレート本体固定部
１２ｂ  ＡＬＣ壁固定部
２０ａ  貫通孔
【図１】
2005147373.tif 000003
【図２】
2005147373.tif 000004
【図３】
2005147373.tif 000005
【図４】
2005147373.tif 000006
【図５】
2005147373.tif 000007
【図６】
2005147373.tif 000008